(57)【要約】【課題】入出庫扉の開放置からの復帰を特定の利用者のみが限定的に行うことができ、セキュリティ強化を図り得る機械式駐車装置の扉開放置復帰方法を提供する。【解決手段】利用者へ操作教育及び扉開放置復帰教育を実施する教育実施工程と、教育を受けた利用者に復帰許可認証番号を知らせる認可工程と、前の利用者による扉開放置発生時に次の利用者が復帰許可認証番号を入力する番号入力工程と、復帰許可認証番号が正しいか否かを判定する第一認証工程と、復帰許可認証番号が正しいと判定された後、利用者が内部に人がいないことを確認する無人確認工程と、無人確認後、利用者が入出庫扉を閉操作する扉閉操作工程と、利用者が復帰許可認証番号を再入力する番号再入力工程と、復帰許可認証番号が正しいか否かを判定する第二認証工程と、復帰許可認証番号が正しいと判定された後、入出庫扉が閉じられる扉閉作動工程とを行う。【選択図】図１
2020097863.tif 000002
【特許請求の範囲】
【請求項１】
前の利用者による扉開放置を次の利用者が復帰させる機械式駐車装置の扉開放置復帰方法において、
利用者へ操作教育及び扉開放置復帰教育を実施する教育実施工程と、
該教育実施工程で教育を受けた利用者のみに復帰許可認証番号を知らせる認可工程と、
前の利用者による扉開放置発生時に次の利用者が前記認可工程で知らされた復帰許可認証番号を入力する番号入力工程と、
該番号入力工程で入力された復帰許可認証番号が正しいか否かを判定する第一認証工程と、
該第一認証工程で復帰許可認証番号が正しいと判定された後、利用者が内部に人がいないことを確認する無人確認工程と、
該無人確認工程で内部に人がいないことが確認された後、利用者が入出庫扉を閉操作する扉閉操作工程と、
該扉閉操作工程に続いて利用者が前記復帰許可認証番号を再入力する番号再入力工程と、
該番号再入力工程で入力された復帰許可認証番号が正しいか否かを判定する第二認証工程と、
該第二認証工程で復帰許可認証番号が正しいと判定された後、入出庫扉が実際に閉じられる扉閉作動工程と
を行う機械式駐車装置の扉開放置復帰方法。
【請求項２】
前の利用者による扉開放置を次の利用者が復帰させる機械式駐車装置の扉開放置復帰方法において、
利用者へ操作教育及び扉開放置復帰教育を実施する教育実施工程と、
該教育実施工程で教育を受けた利用者のみに復帰許可認証番号を知らせる認可工程と、
前記教育実施工程で教育を受けた利用者のみに個別のＩＣカードを付与するＩＣカード付与工程と、
前の利用者による扉開放置発生時に次の利用者が前記認可工程で知らされた復帰許可認証番号を入力する番号入力工程と、
該番号入力工程で入力された復帰許可認証番号が正しいか否かを判定する第一認証工程と、
該第一認証工程で復帰許可認証番号が正しいと判定された後、利用者が内部に人がいないことを確認する無人確認工程と、
該無人確認工程で内部に人がいないことが確認された後、利用者が入出庫扉を閉操作する扉閉操作工程と、
該扉閉操作工程に続いて利用者が前記ＩＣカードにより認証を行うＩＣカード認証工程と、
該ＩＣカード認証工程に続いて利用者が前記復帰許可認証番号を再入力する番号再入力工程と、
該番号再入力工程で入力された復帰許可認証番号が正しいか否かを判定する第二認証工程と、
該第二認証工程で復帰許可認証番号が正しいと判定された後、入出庫扉が実際に閉じられる扉閉作動工程と
を行う機械式駐車装置の扉開放置復帰方法。
【発明の詳細な説明】
【技術分野】
【０００１】
本発明は、機械式駐車装置の扉開放置復帰方法に関するものである。
【背景技術】
【０００２】
一般に、マンション等に設置される機械式駐車装置においては、車両の入出庫を行っている利用者が入出庫部内にいるときに、他の利用者が気付かずに操作盤を操作して前の利用者を入出庫部内に閉じ込めることを防止する必要がある。
【０００３】
このため、従来の機械式駐車装置では、車両の入出庫の際、入出庫扉を開く前に利用者の認証処理（第一の認証処理）を行い、入出庫扉を閉じる前に再度認証処理（第二の認証処理）を行い、第一の認証処理の認証情報と第二の認証処理の認証情報とを照合し、照合結果が一致した場合にのみ入出庫扉の閉操作が行えるようになっている。
【０００４】
ところで、前記入出庫扉を開く前の第一の認証処理と、入出庫扉を閉じる前の第二の認証処理とが一致したことを条件に入出庫扉を閉鎖できるようにした機械式駐車装置の場合、入出庫扉の開閉は利用者の操作に委ねられているため、第一の認証処理を行った利用者が第二の認証処理を忘れて機械式駐車装置から離れてしまった場合、入出庫扉の開放置が生じることがある。
【０００５】
前記入出庫扉の開放置が生じた場合、次の利用者は、前の利用者の第一の認証処理と一致する第二の認証処理を行うことができないため、入出庫扉を閉じることができず、入出庫扉の開放置の状態が長時間続くことになる。
【０００６】
こうした不具合を解消すべく、入出庫扉の開放置が生じたとしても、次の利用者が入出庫扉を閉鎖できるようにした機械式駐車装置と関連する一般的技術水準を示すものとしては、例えば、特許文献１がある。
【先行技術文献】
【特許文献】
【０００７】
【特許文献１】特開２０１８−３５０５号公報
【発明の概要】
【発明が解決しようとする課題】
【０００８】
しかしながら、特許文献１に開示されているものでは、機械式駐車装置の操作教育を受けていない人であっても、コールセンターに電話し解除コードを聞き出して操作盤から入力しさえすれば、入出庫扉の開放置を復帰させることが可能となるため、セキュリティ面で改善の余地が残されていた。
【０００９】
本発明は、上記従来の問題点に鑑みてなしたもので、入出庫扉の開放置からの復帰を特定の利用者のみが限定的に行うことができ、セキュリティ強化を図り得る機械式駐車装置の扉開放置復帰方法を提供しようとするものである。
【課題を解決するための手段】
【００１０】
本発明は、前の利用者による扉開放置を次の利用者が復帰させる機械式駐車装置の扉開放置復帰方法において、
利用者へ操作教育及び扉開放置復帰教育を実施する教育実施工程と、
該教育実施工程で教育を受けた利用者のみに復帰許可認証番号を知らせる認可工程と、
前の利用者による扉開放置発生時に次の利用者が前記認可工程で知らされた復帰許可認証番号を入力する番号入力工程と、
該番号入力工程で入力された復帰許可認証番号が正しいか否かを判定する第一認証工程と、
該第一認証工程で復帰許可認証番号が正しいと判定された後、利用者が内部に人がいないことを確認する無人確認工程と、
該無人確認工程で内部に人がいないことが確認された後、利用者が入出庫扉を閉操作する扉閉操作工程と、
該扉閉操作工程に続いて利用者が前記復帰許可認証番号を再入力する番号再入力工程と、
該番号再入力工程で入力された復帰許可認証番号が正しいか否かを判定する第二認証工程と、
該第二認証工程で復帰許可認証番号が正しいと判定された後、入出庫扉が実際に閉じられる扉閉作動工程と
を行う機械式駐車装置の扉開放置復帰方法に係るものである。
【００１１】
又、本発明は、前の利用者による扉開放置を次の利用者が復帰させる機械式駐車装置の扉開放置復帰方法において、
利用者へ操作教育及び扉開放置復帰教育を実施する教育実施工程と、
該教育実施工程で教育を受けた利用者のみに復帰許可認証番号を知らせる認可工程と、
前記教育実施工程で教育を受けた利用者のみに個別のＩＣカードを付与するＩＣカード付与工程と、
前の利用者による扉開放置発生時に次の利用者が前記認可工程で知らされた復帰許可認証番号を入力する番号入力工程と、
該番号入力工程で入力された復帰許可認証番号が正しいか否かを判定する第一認証工程と、
該第一認証工程で復帰許可認証番号が正しいと判定された後、利用者が内部に人がいないことを確認する無人確認工程と、
該無人確認工程で内部に人がいないことが確認された後、利用者が入出庫扉を閉操作する扉閉操作工程と、
該扉閉操作工程に続いて利用者が前記ＩＣカードにより認証を行うＩＣカード認証工程と、
該ＩＣカード認証工程に続いて利用者が前記復帰許可認証番号を再入力する番号再入力工程と、
該番号再入力工程で入力された復帰許可認証番号が正しいか否かを判定する第二認証工程と、
該第二認証工程で復帰許可認証番号が正しいと判定された後、入出庫扉が実際に閉じられる扉閉作動工程と
を行う機械式駐車装置の扉開放置復帰方法に係るものである。
【発明の効果】
【００１２】
本発明の機械式駐車装置の扉開放置復帰方法によれば、入出庫扉の開放置からの復帰を特定の利用者のみが限定的に行うことができ、セキュリティ強化を図り得るという優れた効果を奏し得る。
【図面の簡単な説明】
【００１３】
【図１】本発明の機械式駐車装置の扉開放置復帰方法の実施例を示すフローチャートである。
【図２】本発明の扉開放置復帰方法が適用される機械式駐車装置の入出庫部の一例を示す平面図である。
【図３】本発明の扉開放置復帰方法が適用される機械式駐車装置の操作盤の一例を示す正面図である。
【図４】本発明の機械式駐車装置の扉開放置復帰方法の実施例の変形例を示すフローチャートである。
【発明を実施するための形態】
【００１４】
以下、本発明の実施の形態を添付図面を参照して説明する。
【００１５】
図１〜図３は本発明の機械式駐車装置の扉開放置復帰方法の実施例である。
【００１６】
先ず、本発明の扉開放置復帰方法が適用される機械式駐車装置の概略について図２を用いて説明する。
【００１７】
図２に示す如く、機械式駐車装置１０は、その正面側に入出庫口２０が設けられ、該入出庫口２０には、入出庫扉３０が開閉自在に設けられている。
【００１８】
前記機械式駐車装置１０の内部には、車両４０が載置されるパレット５０が配備され、該パレット５０は、前記入出庫口２０のレベル位置と図示していない格納棚との間で移送されるようになっている。
【００１９】
前記入出庫口２０の近傍位置には、利用者Ｕによって操作される操作盤６０が設けられている。
【００２０】
前記操作盤６０は、図３に示す如く、液晶画面７０と、番号入力ボタン部８０と、操作ボタン部９０と、ＩＣカード読取部１００と、スピーカ部１１０とを備えている。
【００２１】
前記液晶画面７０には、利用者Ｕに対する操作要求メッセージ、利用者Ｕによる入力情報、機械式駐車装置１０の運転状況、警告メッセージ等が表示されるようになっている。
【００２２】
前記番号入力ボタン部８０は、０〜９までのテンキー８１と、確定キー８２と、訂正キー８３とを備えている。
【００２３】
前記操作ボタン部９０は、スタートボタン９１と、無人確認ボタン９２と、扉閉ボタン９３と、取消ボタン９４とを備えている。
【００２４】
前記ＩＣカード読取部１００は、利用者Ｕが所持するＩＣカードをかざすことで認証が行われるようになっている。
【００２５】
前記スピーカ部１１０からは、利用者Ｕに対する操作要求メッセージ、利用者Ｕによる入力情報、機械式駐車装置１０の運転状況、警告メッセージ等が音声出力されるようになっている。
【００２６】
尚、前記操作盤６０は、図３に示す形式に限らず、利用者Ｕによる操作を全てタッチパネル式の大型液晶画面上で行う形式のものであっても良い。
【００２７】
そして、本実施例の機械式駐車装置の扉開放置復帰方法の場合、図１に示す如く、教育実施工程と、認可工程と、番号入力工程と、第一認証工程と、無人確認工程と、扉閉操作工程と、番号再入力工程と、第二認証工程と、扉閉作動工程とを行うようになっている。
【００２８】
前記教育実施工程は、利用者Ｕへ操作教育及び扉開放置復帰教育を実施する工程である（図１のステップＳ１０参照）。
【００２９】
前記認可工程は、教育実施工程で教育を受けた利用者Ｕのみに復帰許可認証番号を知らせる工程である（図１のステップＳ２０参照）。
【００３０】
前記番号入力工程は、前の利用者Ｕによる扉開放置発生時に次の利用者Ｕが前記認可工程で知らされた復帰許可認証番号を入力する工程である（図１のステップＳ６０参照）。
【００３１】
前記第一認証工程は、前記番号入力工程で入力された復帰許可認証番号が正しいか否かを判定する工程である（図１のステップＳ７０参照）。
【００３２】
前記無人確認工程は、前記第一認証工程で復帰許可認証番号が正しいと判定された後、利用者Ｕが内部に人がいないことを確認する工程である（図１のステップＳ８０，Ｓ９０，Ｓ１００参照）。
【００３３】
前記扉閉操作工程は、前記無人確認工程で内部に人がいないことが確認された後、利用者Ｕが入出庫扉３０を閉操作する工程である（図１のステップＳ１１０参照）。
【００３４】
前記番号再入力工程は、前記扉閉操作工程に続いて利用者Ｕが前記復帰許可認証番号を操作盤６０から再入力する工程である（図１のステップＳ１２０参照）。
【００３５】
前記第二認証工程は、前記番号再入力工程で入力された復帰許可認証番号が正しいか否かを判定する工程である（図１のステップＳ１３０参照）。
【００３６】
前記扉閉作動工程は、前記第二認証工程で復帰許可認証番号が正しいと判定された後、入出庫扉３０が実際に閉じられる工程である（図１のステップＳ１４０参照）。
【００３７】
次に、上記実施例の作用を説明する。
【００３８】
先ず、教育実施工程として、利用者Ｕへ操作教育及び扉開放置復帰教育が実施される（図１のステップＳ１０参照）。
【００３９】
続いて、認可工程として、前記教育実施工程で教育を受けた利用者Ｕのみに復帰許可認証番号が知らされる（図１のステップＳ２０参照）。
【００４０】
前記教育実施工程と認可工程は、機械式駐車装置１０の運転が実際に行われる前に予め実施されている。
【００４１】
前記機械式駐車装置１０の運転中、入出庫扉３０を開く前の第一の認証処理を行った利用者Ｕが、入出庫扉３０を閉じる前の第二の認証処理を忘れて機械式駐車装置１０から離れてしまった場合、入出庫扉３０が開放置される（図１のステップＳ３０参照）。前記入出庫扉３０が開放置され、一定時間（数分）が経過すると、重異常発令がなされ（図１のステップＳ４０参照）、「異常発生」のメッセージが操作盤６０の液晶画面７０に表示される（図１のステップＳ５０参照）。尚、前記「異常発生」のメッセージは、必要に応じてスピーカ部１１０から音声出力される。
【００４２】
前の利用者Ｕによる扉開放置発生時、次の利用者Ｕは、前記認可工程で知らされた復帰許可認証番号を操作盤６０の番号入力ボタン部８０におけるテンキー８１から入力する（図１のステップＳ６０参照）。これが番号入力工程となる。
【００４３】
前記番号入力工程で次の利用者Ｕによって入力された復帰許可認証番号は、正しいか否かが判定される（図１のステップＳ７０参照）。これが第一認証工程となる。該第一認証工程において、前記復帰許可認証番号が間違っている場合、ステップＳ４０の重異常発令に戻り、前述の作動が繰り返される。
【００４４】
前記第一認証工程で復帰許可認証番号が正しいと判定されると、利用者Ｕは、機械式駐車装置１０の内部に人がいないことを確認する（図１のステップＳ８０参照）。このとき、「駐車装置内の無人を確認しましたか？」というメッセージが前記液晶画面７０に表示される（図１のステップＳ９０参照）。尚、前記「駐車装置内の無人を確認しましたか？」というメッセージは、必要に応じてスピーカ部１１０から音声出力される。利用者Ｕは、機械式駐車装置１０の内部に人がいないことを確認すると、操作盤６０の操作ボタン部９０における無人確認ボタン９２を押す（図１のステップＳ１００参照）。これらが無人確認工程となる。
【００４５】
前記無人確認工程で内部に人がいないことが確認された後、利用者Ｕは、前記操作盤６０の操作ボタン部９０における扉閉ボタン９３を押し、入出庫扉３０を閉操作する（図１のステップＳ１１０参照）。これが扉閉操作工程となる。
【００４６】
前記扉閉操作工程に続いて利用者Ｕは、前記復帰許可認証番号を操作盤６０の番号入力ボタン部８０におけるテンキー８１から再入力する（図１のステップＳ１２０参照）。これが番号再入力工程となる。
【００４７】
前記番号再入力工程で入力された復帰許可認証番号は、正しいか否かが判定される（図１のステップＳ１３０参照）。これが第二認証工程となる。該第二認証工程において、前記復帰許可認証番号が間違っている場合、ステップＳ４０の重異常発令に戻り、前述の作動が繰り返される。
【００４８】
前記第二認証工程で復帰許可認証番号が正しいと判定されると、入出庫扉３０が実際に閉じられる（図１のステップＳ１４０参照）。これが扉閉作動工程となる。
【００４９】
本実施例の場合、特許文献１に開示されているものとは異なり、機械式駐車装置１０の操作教育及び扉開放置復帰教育を受けていない人がコールセンターに電話しても、復帰許可認証番号を聞き出すことはできず、入出庫扉３０の開放置を復帰させることが不可能となるため、セキュリティ面で改善が望める。
【００５０】
こうして、入出庫扉３０の開放置からの復帰を特定の利用者Ｕのみが限定的に行うことができ、セキュリティ強化を図り得る。
【００５１】
図４は本発明の機械式駐車装置の扉開放置復帰方法の実施例の変形例であって、基本的な構成は図１〜３に示す実施例と同様である。
【００５２】
図４に示す変形例の特徴とするところは、ＩＣカード付与工程と、ＩＣカード認証工程とを追加した点にある。
【００５３】
前記ＩＣカード付与工程は、前記教育実施工程で教育を受けた利用者Ｕのみに個別のＩＣカード（図示せず）を付与する工程である（図４のステップＳ２５参照）。
【００５４】
前記ＩＣカード認証工程は、前記扉閉操作工程に続いて利用者が前記ＩＣカードにより認証を行う工程である（図４のステップＳ１１５参照）。前記利用者は、図３に示す操作盤６０のＩＣカード読取部１００に前記ＩＣカードをかざすことにより認証を行うようになっている。
【００５５】
次に、上記変形例の作用を説明する。
【００５６】
先ず、教育実施工程として、利用者Ｕへ操作教育及び扉開放置復帰教育が実施される（図４のステップＳ１０参照）。
【００５７】
続いて、認可工程として、前記教育実施工程で教育を受けた利用者Ｕのみに復帰許可認証番号が知らされる（図４のステップＳ２０参照）。
【００５８】
前記教育実施工程で教育を受けた後に前記認可工程で復帰許可認証番号が知らされた利用者Ｕには、ＩＣカード付与工程として個別のＩＣカードが付与される（図４のステップＳ２５参照）。
【００５９】
前記教育実施工程と認可工程とＩＣカード付与工程は、機械式駐車装置１０の運転が実際に行われる前に予め実施されている。
【００６０】
前記機械式駐車装置１０の運転中、入出庫扉３０を開く前の第一の認証処理を行った利用者Ｕが、入出庫扉３０を閉じる前の第二の認証処理を忘れて機械式駐車装置１０から離れてしまった場合、入出庫扉３０が開放置される（図４のステップＳ３０参照）。前記入出庫扉３０が開放置され、一定時間（数分）が経過すると、重異常発令がなされ（図４のステップＳ４０参照）、「異常発生」のメッセージが操作盤６０の液晶画面７０に表示される（図４のステップＳ５０参照）。尚、前記「異常発生」のメッセージは、必要に応じてスピーカ部１１０から音声出力される。
【００６１】
前の利用者Ｕによる扉開放置発生時、次の利用者Ｕは、番号入力工程として、前記認可工程で知らされた復帰許可認証番号を操作盤６０の番号入力ボタン部８０におけるテンキー８１から入力する（図４のステップＳ６０参照）。
【００６２】
前記番号入力工程で次の利用者Ｕによって入力された復帰許可認証番号は、第一認証工程として、正しいか否かが判定される（図４のステップＳ７０参照）。該第一認証工程において、前記復帰許可認証番号が間違っている場合、ステップＳ４０の重異常発令に戻り、前述の作動が繰り返される。
【００６３】
前記第一認証工程で復帰許可認証番号が正しいと判定されると、無人確認工程の一環として、利用者Ｕは、機械式駐車装置１０の内部に人がいないことを確認する（図４のステップＳ８０参照）。このとき、「駐車装置内の無人を確認しましたか？」というメッセージが前記液晶画面７０に表示される（図４のステップＳ９０参照）。尚、前記「駐車装置内の無人を確認しましたか？」というメッセージは、必要に応じてスピーカ部１１０から音声出力される。利用者Ｕは、機械式駐車装置１０の内部に人がいないことを確認すると、操作盤６０の操作ボタン部９０における無人確認ボタン９２を押す（図４のステップＳ１００参照）。
【００６４】
前記無人確認工程で内部に人がいないことが確認された後、扉閉操作工程として、利用者Ｕは、前記操作盤６０の操作ボタン部９０における扉閉ボタン９３を押し、入出庫扉３０を閉操作する（図４のステップＳ１１０参照）。
【００６５】
前記扉閉操作工程に続いて利用者Ｕは、ＩＣカード認証工程として、操作盤６０のＩＣカード読取部１００に前記ＩＣカードをかざすことにより認証を行う（図４のステップＳ１１５参照）と共に、番号再入力工程として、前記復帰許可認証番号を操作盤６０の番号入力ボタン部８０におけるテンキー８１から再入力する（図４のステップＳ１２０参照）。尚、図示は省略しているが、前記ＩＣカードが正規のものでない等の理由により、ステップＳ１１５におけるＩＣカードでの認証が成立しなかった場合、ステップＳ４０の重異常発令に戻り、前述の作動が繰り返される。
【００６６】
前記ＩＣカードでの認証後、第二認証工程として、前記番号再入力工程で入力された復帰許可認証番号は、正しいか否かが判定される（図４のステップＳ１３０参照）。該第二認証工程において、前記復帰許可認証番号が間違っている場合、ステップＳ４０の重異常発令に戻り、前述の作動が繰り返される。
【００６７】
前記第二認証工程で復帰許可認証番号が正しいと判定されると、扉閉作動工程として、入出庫扉３０が実際に閉じられる（図４のステップＳ１４０参照）。
【００６８】
図４に示す変形例の場合、番号入力とＩＣカードの二重の認証が行われるため、セキュリティがより強化される形となる。
【００６９】
こうして、図４に示す変形例では、入出庫扉３０の開放置からの復帰を特定の利用者Ｕのみが二重の認証によって限定的に行うことができ、セキュリティの更なる強化を図り得る。
【００７０】
尚、本発明の機械式駐車装置の扉開放置復帰方法は、上述の実施例にのみ限定されるものではなく、本発明の要旨を逸脱しない範囲内において種々変更を加え得ることは勿論である。
【符号の説明】
【００７１】
１０     機械式駐車装置
２０     入出庫口
３０     入出庫扉
４０     車両
５０     パレット
６０     操作盤
７０     液晶画面
８０     番号入力ボタン部
８１     テンキー
８２     確定キー
８３     訂正キー
９０     操作ボタン部
９１     スタートボタン
９２     無人確認ボタン
９３     扉閉ボタン
９４     取消ボタン
１００     ＩＣカード読取部
１１０     スピーカ部
Ｕ     利用者
【図１】
2020097863.tif 000003
【図２】
2020097863.tif 000004
【図３】
2020097863.tif 000005
【図４】
2020097863.tif 000006